(57)【要約】      （修正有）【課題】  器具搭載状態における放電灯の温度変化に伴う特性変化を補正する。【解決手段】ハーフブリッジ形のインバータ回路を構成するグランド電位に接続されたコンデンサ１１を備える。前記インバータ回路の高周波電圧を受ける点灯回路５０を備える。前記点灯回路５０は放電灯５１とそれに直列のバラスト用インダクタ５３を具備する。前記各スイッチング素子２１・２２を駆動する発振制御回路を備える。外部接続端子より入力される調光信号を直流信号へ変換する調光信号変換手段３８を備える。前記直流信号を抵抗値に変換するインピーダンス変換回路３７を備える。前記インピーダンス変換回路３７と直列の温度補償用抵抗３５を備える。温度変化を前記温度補償用抵抗３５で検知することにより前記インバータ回路の発振周波数が低温時に低く高温時に高くなる特性を与える。【選択図】    図１
2006222050.tif 000002
【特許請求の範囲】
【請求項１】
交互にオンオフする順直列一対のスイッチング素子（２１・２２）を備え、前記各スイッチング素子（２１・２２）と逆並列に接続するフライホイールダイオード（４１・４２）を備え、以上の各素子とともにハーフブリッジ形のインバータ回路を構成するグランド電位に接続されたコンデンサ（１１）を備え、前記インバータ回路の高周波電圧を受ける点灯回路（５０）を備え、前記点灯回路（５０）は放電灯（５１）とそれに直列のバラスト用インダクタ（５３）を具備し、前記各スイッチング素子（２１・２２）を駆動する発振制御回路（３０）を備え、外部接続端子より入力される調光信号を直流信号へ変換する調光信号変換手段（３８）を備え、前記直流信号を抵抗値に変換するインピーダンス変換回路（３７）を備え、前記インピーダンス変換回路（３７）と直列の温度補償用抵抗（３５）を備え、温度変化を前記温度補償用抵抗（３５）で検知することにより前記インバータ回路の発振周波数が低温時に低く高温時に高くなる特性を与えたことを特徴とする放電灯点灯装置。
【発明の詳細な説明】
【技術分野】
【０００１】  本発明は調光形の放電灯点灯装置に関する。
【背景技術】
【０００２】  図２に汎用の従来の放電灯点灯装置を示す。図２回路は放電灯５１を含む点灯回路５０を備え、外部接続端子より入力される調光信号を直流信号へ変換する調光信号変換手段３８を備え、前記直流信号を抵抗値に変換するインピーダンス変換回路３７を備えた放電灯点灯装置である。この放電灯点灯装置の発振周波数は発振回路３１のＣＸ端子に接続されるコンデンサ３２の容量値とＲＸ端子に接続される抵抗３３の抵抗値及びダイオード３４を介して接続されるインピーダンス変換回路３７の合成抵抗値により決定される。外部から入力される調光信号が変化すると、調光信号を直流信号へ変換する調光信号変換手段３８により、インピーダンス変換回路３７に入力される直流電圧も変化し、インピーダンス変換回路３７の等価抵抗値が変化する。これにより、放電灯点灯装置の発振周波数を可変して出力を加減することができるものである。【０００３】  しかしながら、放電灯５１は周囲温度の変化に伴い両端電圧が変化する特性を持っているため、樹脂パネルなどで放電灯５１を覆った密閉形器具などでは、放電灯５１の周囲温度の上昇により放電灯５１の両端電圧が降下して、特に低出力時において上記調光信号と出力の間の直線性が保てない場合が多い。さらに、放電灯５１は低温時において、点灯し難い特性があり、低温下で出力を小さくした場合には不点灯に陥る場合もある。
上記従来例では、放電灯５１の温度変化に伴う特性変化が考慮されておらず、照明器具搭載状態での特性維持および低温下での点灯維持について配慮されていなかった。
【発明の開示】
【発明が解決しようとする課題】
【０００４】  本発明は調光形の放電灯点灯装置の器具搭載状態における放電灯の温度変化に伴う特性変化を補正することを目的とする。
【課題を解決するための手段】
【０００５】  放電灯の温度変化に伴う特性変化を相殺するために、外部接続端子より入力される調光信号をインピーダンスへ変換する回路と直列に温度補償用抵抗を接続し、温度変化に対して放電灯点灯装置の発振周波数が変化するように構成する。
【発明の効果】
【０００６】  本発明によれば、調光形放電灯点灯装置の器具搭載状態における放電灯の温度変化に伴う特性変化の補正を簡便な回路構成で実現することができる。
【発明を実施するための最良の形態】
【０００７】  本発明の実施形態を図１によりを説明する。図１の放電灯点灯装置は交互にオンオフする順直列一対のスイッチング素子２１・２２を備える。前記各スイッチング素子２１・２２と逆並列に接続するフライホイールダイオード４１・４２を備える。以上の各素子とともにハーフブリッジ形のインバータ回路を構成するグランド電位に接続されたコンデンサ１１を備える。前記インバータ回路の高周波電圧を受ける点灯回路５０を備える。前記点灯回路５０は放電灯５１とそれに直列のバラスト用インダクタ５３を具備する。前記各スイッチング素子２１・２２を駆動する発振制御回路３０を備える。外部接続端子より入力される調光信号を直流信号へ変換する調光信号変換手段３８を備える。前記直流信号を抵抗値に変換するインピーダンス変換回路３７を備える。前記インピーダンス変換回路３７と直列の温度補償用抵抗３５を備える。温度変化を前記温度補償用抵抗３５で検知することにより前記インバータ回路の発振周波数が低温時に低く高温時に高くなる特性を与える。３１は発振制御回路３１に属する発振回路である。３４はダイオードである。５２は予熱用コンデンサである。７１は直流電源である。【０００８】  前記インバータ回路の発振周波数は発振回路３１のＲＸ端子に接続される抵抗値およびＣＸ端子に接続される容量値に反比例して変化し、コンデンサ３２の容量値ＣＸと抵抗３３の抵抗値ＲＸ及びダイオード３４、温度補償用抵抗３５を介して接続されるインピーダンス変換回路３７の合成抵抗値により決定される。温度補償用抵抗３５の温度変化に対する特性は負特性を示し、周囲温度が上昇すると抵抗値が小さくなる特性を持っている。調光信号を直流信号へ変換する調光信号変換手段３８により外部から入力される調光信号が変化すると、インピーダンス変換回路３７に入力される直流電圧も変化し、インピーダンス変換回路３７の等価抵抗値が変化する。これにより発振周波数を可変して出力を加減することができるものである。照明器具搭載状態においては、放電灯５１の周囲温度は出力の加減により変化するので、１００％出力時における放電灯５１の両端電圧の低下が著しく、これが調光信号と出力の間の直線性が保てない要因となる。【０００９】  本発明では、調光時に温度補償用抵抗３５の作用により、照明器具内の温度上昇とともに発振回路３１のＲＸ端子に接続される抵抗値が小さくなり、放電灯点灯装置の発振周波数は大きくなるよう動作する。すなわち、放電灯出力をより小さくなるよう動作するため、調光信号と出力の間の直線性が保てるようになる。一方、低温時においては、温度補償用抵抗３５の抵抗値が大きくなることで発振周波数を低く、出力を大きくするよう動作するため、低温時の出力低下を緩和でき、不点灯を防止できる。
【図面の簡単な説明】
【００１０】
【図１】本発明に係る放電灯点灯装置の回路図である。
【図２】従来の放電灯点灯装置の回路図である。
【符号の説明】
【００１１】１１：コンデンサ
２１・２２：スイッチング素子
３０：発振制御回路  ３１：発振回路  ３２：コンデンサ
３３・３６：抵抗  ３４：ダイオード  ３５：温度補償用抵抗
３７：インピーダンス変換回路  ３８：調光信号変換手段
４１・４２：フライホイールダイオード
５０：点灯回路  ５１：放電灯  ５２：予熱用コンデンサ
５３：バラスト用インダクタ  ７１：直流電源
【図１】
2006222050.tif 000003
【図２】
2006222050.tif 000004